(57)【要約】      （修正有）【課題】胴に対するガラス縁の開閉を無理なく繰り返すことを可能にして、時計のメンテナンス性を向上させる。【解決手段】時計１０は、上面側が開口し、内周部２２に凹部２４が形成され、ムーブメント２６が収納される胴１２と、ガラス４２（風防）が固定され、胴１２の上面側に取り付けられるガラス縁１４（風防縁）と、ガラス縁１４のうち胴１２の内側に挿入される部位に設けられ、内周部２２に向けて凹部２４に入り込まない程度に突出する凸部１６と、ガラス縁１４に回動自在に取り付けられ、弾性変形しつつ凸部１６を乗り越えることで凸部１６の上側と下側の間を揺動可能とされ、ガラス縁１４を胴１２に取り付けた状態で上部が凹部２４の天井部２４Ａに当接し、下部が凸部１６に当接して、胴１２及びガラス縁１４にそれぞれ係合する止め部材１８と、を有する。【選択図】図８
2020159737.tif 000002
【特許請求の範囲】
【請求項１】
上面側が開口し、内周部に凹部が形成され、ムーブメントが上面側から収納される胴と、
風防が固定され、前記胴の上面側に取り付けられる風防縁と、
前記風防縁のうち前記胴の内側に挿入される部位に設けられ、前記内周部に向けて前記凹部に入り込まない程度に突出する凸部と、
前記風防縁に回動自在に取り付けられ、弾性変形しつつ前記凸部を乗り越えることで前記凸部の上側と下側の間を揺動可能とされ、前記風防縁を前記胴に取り付けた状態で上部が前記凹部の天井部に当接し、下部が前記凸部に当接して、前記胴及び前記風防縁にそれぞれ係合する止め部材と、
を有する時計。
【請求項２】
前記風防縁には、前記風防縁を前記胴に取り付けておらずかつ前記風防縁を水平状態にしたときに前記止め部材が前記凸部の下側の所定位置に留まるように、前記止め部材の下方への回動範囲を制限する支持部が設けられている請求項１に記載の時計。
【請求項３】
前記止め部材は、前記風防縁の径方向の両側に一対設けられている請求項１又は請求項２に記載の時計。
【請求項４】
前記止め部材は、前記風防縁の径方向の片側に設けられ、
前記風防縁のうち前記止め部材が設けられていない側には、前記胴に対して直接係合する係合部が設けられている請求項１又は請求項２に記載の時計。
【請求項５】
前記凹部の前記天井部は、前記胴の径方向内側に向かって前記胴の上面側に傾斜し、
前記凸部は、前記風防縁の径方向外側に向かって断面テーパ状に形成されている請求項１〜請求項４の何れか１項に記載の時計。
【請求項６】
前記止め部材には、弾性変形の際の伸び代となる伸長予定部が設けられている請求項１〜請求項５の何れか１項に記載の時計。
【発明の詳細な説明】
【技術分野】
【０００１】
本発明の実施形態は、時計に関する。
【背景技術】
【０００２】
時計の胴に対し、該胴に対するガラス縁の取付け方向から針及び文字盤付きムーブメントを挿入した後、ガラス縁を胴に取り付ける構造の時計が存在する。この一例として、時計の胴とガラス縁とを、小ねじを用いて固定する構造が開示されている（特許文献１参照）。
【先行技術文献】
【特許文献】
【０００３】
【特許文献１】特開２００２−１８９０８４号公報
【発明の概要】
【発明が解決しようとする課題】
【０００４】
胴とガラス縁とを固定するための構造として、上記したような小ねじ止めの構造の他、ガラス縁のうち胴に差し込まれる足に係合部を設けて、該足の撓み力を利用して係合部を胴に係合させる構造が知られている。
【０００５】
しかしながら、ガラス縁の足の撓み力を利用して係合部を胴に係合させる構造では、ガラス縁の胴への取付け及び取外しの回数、つまり開閉回数が増える毎に、胴またはガラス縁が削れてしまうことが懸念される。更に、ガラス縁や胴に金のような変形を生じやすい材料やチタン等のような硬い材料が用いられる場合には、ガラス縁の足の撓み力を利用して係合部を胴に係合させる構造は不向きである。
【０００６】
本発明の実施形態は、上記事実を考慮して、胴に対する風防縁の開閉を無理なく繰り返すことを可能にして、時計のメンテナンス性を向上させることを目的とする。
【課題を解決するための手段】
【０００７】
第１の態様に係る時計は、上面側が開口し、内周部に凹部が形成され、ムーブメントが上面側から収納される胴と、風防が固定され、前記胴の上面側に取り付けられる風防縁と、前記風防縁のうち前記胴の内側に挿入される部位に設けられ、前記内周部に向けて前記凹部に入り込まない程度に突出する凸部と、前記風防縁に回動自在に取り付けられ、弾性変形しつつ前記凸部を乗り越えることで前記凸部の上側と下側の間を揺動可能とされ、前記風防縁を前記胴に取り付けた状態で上部が前記凹部の天井部に当接し、下部が前記凸部に当接して、前記胴及び前記風防縁にそれぞれ係合する止め部材と、を有する。
【０００８】
この時計では、風防縁に止め部材が回動自在に取り付けられている。ムーブメントを胴に収納し、風防縁を胴に取り付ける際には、風防縁の足部を胴に挿入する。このとき、足部に設けられた凸部は、凹部に入り込まない程度に突出しているので、胴の内周部と干渉し難い。またこのとき、風防縁に取り付けられた止め部材が、胴の凹部に入り込み始める。風防縁の足部を胴に押し込んで行くと、止め部材の上側にあった風防縁の凸部が、止め部材が一旦凹部に深く入り込むように該止め部材を弾性変形させながら、止め部材の下側に入り込む。このとき、相対的には、止め部材が弾性変形しながら風防縁の凸部を乗り越えて、該凸部の下側から上側に回動する。止め部材は、凸部を乗り越える際に一旦弾性的に伸長し、乗り越えた後に自身の弾性力により元の形状に戻ろうとする。このとき、止め部材の上部は凹部の天井部に当接し、止め部材の下部は凸部に当接し、止め部材が胴及び風防縁にそれぞれ係合した状態となる。これにより、風防縁が胴に取り付けられる。止め部材は、風防縁と胴の間に収納された状態となる。
【０００９】
一方、風防縁を胴から取り外す際には、風防縁の足部に設けられた凸部が、止め部材が一旦凹部に深く入り込むように該止め部材を弾性変形させながら、止め部材の下側から上側に移動する。このとき、相対的には、止め部材が、風防縁の凸部を乗り越えて、該凸部の上側から下側に回動する。これにより、止め部材と、胴及び風防縁との係合が解除されるので、風防縁を胴から取り外すことができる。
【００１０】
第２の態様は、第１の態様に係る時計において、前記風防縁に、前記風防縁を前記胴に取り付けておらずかつ前記風防縁を水平状態にしたときに前記止め部材が前記凸部の下側の所定位置に留まるように、前記止め部材の下方への回動範囲を制限する支持部が設けられている。
【００１１】
この時計では、風防縁を胴に取り付けておらずかつ風防縁を水平状態にしたときに、支持部により止め部材の下方への回動範囲が制限され、止め部材が凸部の下側の所定位置に留まる。これにより、風防縁からの止め部材の垂れ下がりが抑制される。このため、風防縁を胴に取り付ける際に、ムーブメントに取り付けられた針や文字板に対する止め部材の干渉を抑制できる。
【００１２】
第３の態様は、第１の態様又は第２の態様に係る時計において、前記止め部材が、前記風防縁の径方向の両側に一対設けられている。
【００１３】
この時計では、風防縁を胴に取り付ける際に、風防縁の足部を胴に挿入して押し込んで行くことにより、風防縁の径方向の両側において、止め部材が胴及び風防縁にそれぞれ係合した状態となる。したがって、胴に対する風防縁の取付け作業が容易である。
【００１４】
第４の態様は、第１の態様又は第２の態様に係る時計において、前記止め部材が、前記風防縁の径方向の片側に設けられ、前記風防縁のうち前記止め部材が設けられていない側には、前記胴に対して直接係合する係合部が設けられている。
【００１５】
この時計では、風防縁のうち止め部材が設けられていない側の係合部を胴に直接係合させてから、止め部材が設けられている側を胴に押し込み、止め部材を胴及び風防縁にそれぞれ係合させる。止め部材が風防縁の径方向の片側に設けられているので、止め部材が径方向の両側に設けられている場合と比較して、部品点数を少なくすることができる。
【００１６】
第５の態様は、第１〜第４の態様の何れか１態様に係る時計において、前記凹部の前記天井部が、前記胴の径方向内側に向かって前記胴の上面側に傾斜し、前記凸部は、前記風防縁の径方向外側に向かって断面テーパ状に形成されている。
【００１７】
この時計では、胴における凹部の天井部が傾斜しているので、止め部材が凹部に出入りし易い。また、風防縁の凸部が断面テーパ状に形成されているので、止め部材が凸部を乗り越え易い。このため、胴に対する風防縁の着脱が容易である。
【００１８】
第６の態様は、第１〜第５の態様の何れか１態様に係る時計において、前記止め部材に、弾性変形の際の伸び代となる伸長予定部が設けられている。
【００１９】
この時計では、止め部材に弾性変形の際の伸び代となる伸長予定部が設けられているので、該伸長予定部がない場合と比較して、止め部材が風防縁の凸部を乗り越える際に凸部の突出方向に伸長し易い。
【発明の効果】
【００２０】
本発明の実施形態によれば、胴に対する風防縁の開閉を無理なく繰り返すことを可能にして、時計のメンテナンス性を向上させることができる。
【図面の簡単な説明】
【００２１】
【図１】第１実施形態に係る時計を示す部分破断正面図である。
【図２】第１実施形態に係る時計を示す分解斜視図である。
【図３】胴の構造を示す部分断面斜視図である。
【図４】裏返しにされたガラス縁及び止め部材を示す分解斜視図である。
【図５】止め部材の第１変形例を示す正面図である。
【図６】ガラス縁を胴に固定する前の状態を示す拡大断面図である。
【図７】図６のＡ部分を示す拡大断面図である。
【図８】（Ａ）は、ガラス縁を胴に固定した状態を示す拡大断面図である。（Ｂ）は、図８（Ａ）のＢ部分を示す拡大断面図である。
【図９】（Ａ）は、止め部材の第２変形例を示す拡大断面図である。（Ｂ）は、胴に対する止め部材の回動範囲が制限されている状態を示す拡大断面図である。
【図１０】第２実施形態に係る時計において、ガラス縁を胴に固定する前の状態を示す拡大断面図である。
【図１１】第２実施形態に係る時計において、ガラス縁を胴に固定した状態を示す拡大断面図である。
【発明を実施するための形態】
【００２２】
以下、本発明を実施するための形態を図面に基づき説明する。
【００２３】
［第１実施形態］
図１、図２において、本実施形態に係る時計１０は、例えば腕時計であり、胴１２と、風防縁の一例としてのガラス縁１４と、凸部１６と、止め部材１８とを有している。
【００２４】
胴１２は、上面側が開口し、内周部２２に凹部２４が形成され、ムーブメント２６が上面側から収納される時計部品である。図１における胴１２の両端には、バンド取付け部１２Ａがそれぞれ設けられている。バンド取付け部１２Ａには、ばね棒３０を介してリストバンド３２が取り付けられる。図２に示されるように、胴１２の側面には、竜頭２８の軸２８Ａが差し込まれる孔１２Ｂが形成されている。この孔１２Ｂは、胴１２の内周部２２に貫通している。竜頭２８の軸２８Ａは、この孔１２Ｂを通じて、胴１２に収納されるムーブメント２６に結合される。
【００２５】
図２、図３において、胴１２には、文字板３４が収納される文字板収納部４４が設けられている。文字板収納部４４には、ムーブメント２６に取り付けられた針３５も収納される。文字板収納部４４の下側には、ムーブメント２６が収納されるムーブメント収納部４６が設けられている。ムーブメント収納部４６は、ムーブメント２６の外形に合わせて筒状に形成されている。ムーブメント収納部４６の下側には、裏蓋３６を取り付けるための例えば雌ねじ１２Ｃが形成されている。なお、ここでの「下側」とは、時計１０の裏側（裏蓋３６側）を意味する。
【００２６】
図２において、文字板収納部４４内において、ムーブメント２６は、中枠３８により位置決めされている。裏蓋３６と胴１２との間には、密閉性確保のため裏蓋パッキン４０が設けられている。
【００２７】
凹部２４が設けられる内周部２２は、文字板収納部４４の内周に位置する。凹部２４は、例えば時計１０を平面視した場合において、該時計１０の上側（時計１０の１２時側）と下側（時計１０の６時側）にそれぞれ設けられている。この凹部２４は、例えば胴１２の内周部２２から径方向外側に凹状に形成された凹溝であり、胴１２の幅方向に例えば直線状又は弧状に延びている。この幅方向とは、時計装着時の横幅方向であり、換言すれば文字板３４の３時と９時を結ぶ方向である。時計１０の形状が角形でなく円形である場合には、凹部２４は周方向に延びていてもよい。図６、図７において、凹部２４の天井部２４Ａは、胴１２の径方向内側に向かって胴１２の上面側に傾斜している。これにより、天井部２４Ａは、胴１２の中央側斜め下方を向いている。また、凹部２４の底部２４Ｂは、文字板収納部４４の底部４４Ｂよりも一段低く形成されており、胴１２の径方向内側に連続し、ムーブメント収納部４６に至っている。
【００２８】
図１、図２、図４において、ガラス縁１４は、風防の一例としてのガラス４２が固定され、胴１２の上面側に取り付けられる。ガラス縁１４と胴１２との間には、密閉性確保のためガラス縁パッキン４８が設けられる。図４には、裏返しにされたガラス縁１４が示されている。ガラス縁１４は、胴１２に被さりガラス４２の周囲の意匠面を構成する縁部１４Ａを有している。また、ガラス縁１４は、胴１２の内側に挿入される部位としての足部１４Ｂを有している。なお、風防はガラス４２に限られず、透明で硬質な素材であればよく、例えば透明な樹脂であってもよい。
【００２９】
凹部２４の底部２４Ｂが文字板収納部４４の底部４４Ｂよりも一段低く形成されていることに対応して、足部１４Ｂのうち凸部１６が形成されている部分は、他の部分よりもガラス縁１４の下側（図４では上側）に突出している。
【００３０】
図６、図７において、凸部１６は、ガラス縁１４のうち胴１２の内側に挿入される部位としての足部１４Ｂに設けられ、内周部２２に向けて凹部２４に入り込まない程度に突出する部位である。凸部１６は、ガラス縁１４の径方向外側に向かって断面テーパ状（先細り状）に形成されている。換言すれば、凸部１６は、上側と下側に傾斜面を有している。図１に示されるように、時計１０の平面視における凸部１６の範囲は、胴１２の凹部２４の範囲よりも狭く（短く）設定されている。また、図７（Ｂ），図８（Ｂ）に示されるように、凸部１６の上側の面の傾斜角度は、凹部２４の天井部２４Ａの傾斜角度が異なっており、これによって、胴１２の径方向内側に向かって凸部１６と凹部２４の天井部２４Ａとの離間距離が狭まっている。
【００３１】
図２、図４において、止め部材１８は、ガラス縁１４に回動自在に取り付けられ、弾性変形しつつ凸部１６を乗り越えることで凸部１６の上側と下側の間を揺動可能とされている。この止め部材１８は、ガラス縁１４を胴１２に取り付けた状態で上部が凹部２４の天井部に当接し、下部が凸部１６に当接して、胴１２及びガラス縁１４にそれぞれ係合するようになっている。
【００３２】
具体的には、止め部材１８は、例えば金属製のワイヤー線（ピアノ線）を、ガラス縁１４の足部１４Ｂの外形に沿うように、例えば略Ｃ字状に折り曲げて形成されている。胴１２及びガラス縁１４の摩耗を抑制するために、止め部材１８の材質は、胴１２及びガラス縁１４のうち止め部材１８に接触する部分の材料よりも柔らかいことが望ましい。止め部材１８の幅方向中央部には、後述する差込み部１８Ｃから遠のく方向（胴１２の凹部２４の深さ方向）に部分的に張り出す張出し部１８Ａが形成されている。図１に示されるように、張出し部１８Ａは、ガラス縁１４の凸部１６及び胴１２の凹部２４に沿う形状とされている。また、張出し部１８Ａの範囲は、ガラス縁１４の凸部１６の範囲よりも広く（長く）設定されている。
【００３３】
止め部材１８の両端には、ワイヤー線の両端を幅方向内側に折り曲げた差込み部１８Ｃが形成されている。一方、ガラス縁１４における足部１４Ｂの側面には、取付け穴１４Ｃが例えば２箇所ずつ形成されている。止め部材１８の差込み部１８Ｃを取付け穴１４Ｃに差し込むことにより、止め部材１８がガラス縁１４に取り付けられている。止め部材１８は、差込み部１８Ｃを中心として回動自在とされている。この止め部材１８は、ガラス縁１４の径方向の両側に一対設けられている。これに対応して、ガラス縁１４の凸部１６及び胴１２の凹部２４も、それぞれ一対設けられている。
【００３４】
また、ガラス縁１４の時計幅方向両側には、支持部５０が設けられている。この支持部５０は、ガラス縁１４を胴１２に取り付けておらずかつガラス縁１４を水平状態にしたときに止め部材１８が凸部１６の下側の所定位置に留まるように、止め部材１８の下方への回動範囲を制限する部位である。図４に示されるように、支持部５０は、足部１４Ｂから外側へ張り出すように該足部１４Ｂに一体的に形成されている。支持部５０は、ガラス縁１４を胴１２に取り付けておらずかつガラス縁１４を水平状態にしたときに、止め部材１８が下方へ若干回動した位置で止め部材１８に当接するように、少なくとも止め部材１８の差込み部１８Ｃの下側（図４では上側）において張り出している。
【００３５】
なお、図５に示される変形例１のように、止め部材１８に、弾性変形の際の伸び代となる伸長予定部１８Ｂが設けられていてもよい。この伸長予定部１８Ｂは、止め部材１８の一部を波形に屈曲させた部位であり、１つの止め部材１８につき例えば一対又は複数対設けられている。
【００３６】
また、図９（Ａ）に示される変形例２のように、止め部材１８及び取付け穴１４Ｃを構成してもよい。この支持部６０では、止め部材１８の差込み部１８Ｃが断面非円形、例えば断面長方形とされ、取付け穴１４Ｃが断面非円形、例えば長円形とされている。取付け穴１４Ｃの幅は、差込み部１８Ｃの幅よりも若干大きく設定されている。図９（Ｂ）に示されるように、この変形例では、止め部材１８がある程度回動したときに、差込み部１８Ｃが取付け穴１４Ｃに干渉する。このような構成でも、止め部材１８の回動範囲を制限できる。つまり、止め部材１８の回動範囲を制限するための支持部を、このような構成により実現してもよい。更に、支持部は、止め部材１８の回動範囲を制限できるものであれば、他の構成であってもよい。
【００３７】
（作用）
本実施形態は、上記のように構成されており、以下その作用について説明する。図６から図８において、本実施形態に係る時計１０では、ガラス縁１４に止め部材１８が差込み部１８Ｃを中心として回動自在に取り付けられている。この止め部材１８は、差込み部１８Ｃをガラス縁１４の取付け穴１４Ｃに差し込むだけで、該ガラス縁１４に容易に取り付けることができる。
【００３８】
文字板３４及び針３５が取り付けられたムーブメント２６を胴１２に収納し、ガラス縁１４を胴１２に取り付ける際には、図６、図７（Ａ）に示されるように、ガラス縁１４の足部１４Ｂを胴１２に挿入する。このとき、足部１４Ｂに設けられた凸部１６は、胴１２の内周部２２と干渉し難いので、ガラス縁１４と胴１２との接触による摩耗が生じ難い。またこのとき、ガラス縁１４に取り付けられた止め部材１８が、文字板収納部４４の底部４４Ｂ、又は凹部２４の底部２４Ｂの上を滑りながら、胴１２の凹部２４に入り込み始める。具体的には、止め部材１８の張出し部１８Ａが凹部２４に入り込み始める。
【００３９】
図７、図８に示されるように、ガラス縁１４の足部１４Ｂを胴１２に押し込んで行くと、止め部材１８の上側にあったガラス縁の凸部１６が、止め部材１８の張出し部１８Ａが一旦凹部２４に深く入り込むように該止め部材１８を弾性変形させながら（図７（Ｂ））、止め部材１８の下側に入り込む（図８）。このとき、相対的には、止め部材１８が弾性変形しながら、その張出し部１８Ａがガラス縁の凸部１６を乗り越えて、該凸部１６の下側から上側に回動する。
【００４０】
止め部材１８は、Ｃ字形の曲げ形状を有しているので、凸部１６を乗り越える際に一旦弾性的に伸長し、乗り越えた後に自身の弾性力により元の形状に戻ろうとする。このとき、止め部材１８における張出し部１８Ａの上部は凹部２４の天井部２４Ａに当接し、止め部材１８の下部は凸部１６に当接し、止め部材１８が胴１２及びガラス縁１４にそれぞれ係合した状態となる。これにより、ガラス縁１４が胴１２に取り付けられる。止め部材１８の弾性変形を利用して、張出し部１８Ａが凸部１６を乗り越えるので、摩耗が生じ難い。また、ガラス縁１４の凸部１６が断面テーパ状に形成されているので、止め部材１８の張出し部１８Ａが凸部１６を乗り越えて自身の弾性力により元の形状に戻ろうとするときに、凸部１６に当接し易い。
【００４１】
凸部１６の上側の面の傾斜角度は、凹部２４の天井部２４Ａの傾斜角度が異なっており、これによって、胴１２の径方向内側に向かって凸部１６と凹部２４の天井部２４Ａとの離間距離が狭まっている。したがって、止め部材１８の張出し部１８Ａが凸部１６を乗り越えて自身の弾性力により元の形状に戻ろうとするときに、張出し部１８Ａは、凸部１６だけでなく凹部２４の天井部２４Ａにも当接する。これにより、止め部材１８は、自然状態には復元せず、若干弾性変形した状態で拘束される。これにより、異音の発生が抑制される。また、止め部材１８の弾性力により張出し部１８Ａが凸部１６の上側に当接することで、凸部１６に対し下側へ力を作用させることができる。これにより、ガラス縁１４を胴１２の下側に引き込むことができる。
【００４２】
本実施形態では、止め部材１８がガラス縁１４の径方向の両側に一対設けられているので、ガラス縁１４を胴１２に取り付ける際に、ガラス縁１４の足部１４Ｂを胴１２に挿入して押し込んで行くことにより、ガラス縁１４の径方向の両側において、止め部材１８が胴１２及びガラス縁１４にそれぞれ係合した状態となる。したがって、胴１２に対するガラス縁１４の取付け作業が容易である。
【００４３】
一方、ガラス縁１４を胴１２から取り外す際には、ガラス縁１４の足部１４Ｂに設けられた凸部１６が、止め部材１８が一旦凹部２４に深く入り込むように該止め部材１８を弾性変形させながら、止め部材１８の下側から上側に移動する。このとき、相対的には、止め部材１８が、ガラス縁１４の凸部１６を乗り越えて、該凸部１６の上側から下側に回動する。これにより、止め部材１８と、胴１２及びガラス縁１４との係合が解除されるので、ガラス縁１４を胴１２から取り外すことができる。
【００４４】
胴１２に対するガラス縁１４の着脱により止め部材１８に摩耗が生じたとしても、該止め部材１８のみを交換すればよい。止め部材１８はワイヤー線を折り曲げた安価な部品であるので、交換費用を抑制できる。
【００４５】
また、図２に示されるように、ガラス縁１４を胴１２に取り付けておらずかつガラス縁１４を水平状態にしたときに、支持部５０により止め部材１８の下方への回動範囲が制限され、止め部材１８が凸部１６の下側の所定位置に留まる。これにより、ガラス縁１４からの止め部材１８の垂れ下がりが抑制される。このため、ガラス縁１４を胴１２に取り付ける際に、ムーブメント２６に取り付けられた針や文字板に対する止め部材１８の干渉を抑制できる。
【００４６】
更に、図７、図８に示されるように、胴１２における凹部２４の天井部２４Ａが傾斜しているので、止め部材１８が凹部２４に出入りし易い。また、ガラス縁１４の凸部１６が断面テーパ状に形成されているので、止め部材１８が凸部１６を乗り越え易い。このため、胴１２に対するガラス縁１４の着脱が容易である。
【００４７】
図５に示される変形例１に係る止め部材１８では、弾性変形の際の伸び代となる伸長予定部１８Ｂが設けられているので、該伸長予定部１８Ｂがない場合と比較して、止め部材１８がガラス縁１４の凸部１６を乗り越える際に凸部１６の突出方向に伸長し易い。
【００４８】
このように、本実施形態によれば、胴１２に対するガラス縁１４の開閉を無理なく繰り返すことを可能にして、時計のメンテナンス性を向上させることができる。
【００４９】
なお、ガラス縁を胴に小ねじを用いて固定する場合は、ガラス縁の足部に小ねじを締結するための雌ねじを切ることからガラス縁の幅が必要となり、視認性に影響する文字板が大きく見せられない。同じく胴にもねじを通す貫通孔が必要となり、ねじを隠すためにはリストバンドの上面にねじを配置する等の配慮が必要となる。
【００５０】
その点、本実施形態では、小ねじが不要であるので、小ねじを用いる場合と比較して、ガラス縁１４の縁幅を比較的細くできる。このため、文字板３４を大きく見せて視認性を向上させることができる。また、止め部材１８は、ガラス縁１４と胴１２の間に、スペース的に無駄なく収納された状態となるので、時計１０の内部に余分なスペースが必要ない。したがって、リストバンド３２の配置スペースをガラス縁１４の下に確保することも可能となる。
【００５１】
［第２実施形態］
図１０、図１１において、本実施形態に係る時計２０では、止め部材１８がガラス縁１４の径方向の片側に設けられており、例えば時計２０の上側（文字板３４の１２時側）又は下側（文字板３４の６時側）に設けられている。
【００５２】
ガラス縁１４のうち止め部材１８が設けられていない側、具体的には、ガラス縁１４の径方向における凸部１６の反対側には、胴１２の凹部２５に対して直接係合する係合部５２が設けられている。係合部５２は、足部１４Ｂに設けられている。また、係合部５２は、足部１４Ｂの外面が内周部２２に当接した状態で凹部２５に入り込む形状の凸部である。止め部材１８と係合する凸部１６は、胴１２の内周部２２に向けて凹部２４に入り込まない程度に突出するのに対し、係合部５２は、凹部２５に入り込む位置まで突出している。つまり、係合部５２は、凸部１６よりも突出している。
【００５３】
図１０に示されるように、本実施形態に係る時計２０では、ガラス縁１４のうち止め部材１８が設けられていない側の係合部を胴１２に直接係合させてから、止め部材１８が設けられている側を胴１２に押し込み、止め部材１８を胴１２及びガラス縁１４にそれぞれ係合させる（図１１）。止め部材１８がガラス縁１４の径方向の片側に設けられているので、止め部材１８が径方向の両側に設けられている場合と比較して、部品点数を少なくすることができる。
【００５４】
ガラス縁１４の着脱時における止め部材１８と胴１２及びガラス縁１４との係合とその解除については、第１実施形態と同様である。第１実施形態と同様の部分については、図面に同一の符号を付し、説明を省略する。
【００５５】
［他の実施形態］
以上、本発明の実施形態の一例について説明したが、本発明の実施形態は、上記に限定されるものでなく、上記以外にも、その主旨を逸脱しない範囲内において種々変形して実施可能であることは勿論である。
【００５６】
凹部２４が胴１２の幅方向に延びる凹溝であるものとして説明したが、凹溝は断続的に複数箇所に設けられていてもよい。また、凹部２４は凹溝に限られず、１箇所以上の局所的な凹部であってもよい。凹溝と局所的な凹部を組み合わせてもよい。
【００５７】
凸部１６が、その上面と下面が傾斜した断面テーパ状であるものとしたが、上面と下面は平面状に限られず、湾曲面で構成されていてもよい。また、凸部１６の上面と下面が、平面と湾曲面の組合せで構成されていてもよい。
【符号の説明】
【００５８】
１０    時計
１２    胴
１４    ガラス縁（風防縁）
１４Ｂ  足部（胴の内側に挿入される部位）
１６    凸部
１８    止め部材
１８Ｂ  伸長予定部
２０    時計
２２    内周部
２４    凹部
２４Ａ  天井部
２６    ムーブメント
４２    ガラス（風防）
５０    支持部
５２    係合部
【図１】
2020159737.tif 000003
【図２】
2020159737.tif 000004
【図３】
2020159737.tif 000005
【図４】
2020159737.tif 000006
【図５】
2020159737.tif 000007
【図６】
2020159737.tif 000008
【図７】
2020159737.tif 000009
【図８】
2020159737.tif 000010
【図９】
2020159737.tif 000011
【図１０】
2020159737.tif 000012
【図１１】
2020159737.tif 000013